(57)【要約】【課題】良好なインピーダンス特性を有し、しかも、クロストークの発生を防止できる平衡伝送用コネクタを提供する。【解決手段】コネクタ１のインシュレータ２に一定のピッチで交互に圧入固定されている各第１シグナルコンタクト３と各第２シグナルコンタクト４は、接触部３ａ，４ａと、インシュレータへの固定部３ｂ，４ｂと、曲がり部３ｃ，４ｃと、第１中間部３ｄ，４ｄと、第１中間部に直交する第２中間部３ｅ，４ｅと、第２中間部に直交し、半田付けされる端子部３ｆ，４ｆとから構成される。両シグナルコンタクト３，４の全長は、等しい。隣接する両シグナルコンタクトは、平衡伝送時のペアを構成する。両シグナルコンタクトの曲がり部３ｃ，４ｃの寸法を変更することによって、（Ｂ）と（Ｃ）に示されるように、両シグナルコンタクト間の対向方向（嵌合方向に直交する方向）の寸法ｘと嵌合方向の寸法ｘを変更する。この結果、両シグナルコンタクト間の結合を変更でき、平衡伝送時のインピーダンスを調整できる。【選択図】      図２
2004319257.tif 000002
【特許請求の範囲】
【請求項１】
複数のコンタクトと前記各コンタクトを保持するインシュレータとを備えるコネクタにおいて、
前記各コンタクトは、嵌合方向に直交する方向に対向配置される第１シグナルコンタクトと第２シグナルコンタクトとから構成され、
前記各シグナルコンタクトは、接触部と、前記インシュレータへの固定部と、曲がり部と、第１中間部と、前記第１中間部に直交する第２中間部と、前記第２中間部に直交する端子部とを有し、
前記各第１シグナルコンタクトの第１中間部と前記各第２シグナルコンタクトの第１中間部とは、前記嵌合方向に直交する対向方向へずれて配置されるように構成され、
前記各第１シグナルコンタクトの第２中間部と前記各第２シグナルコンタクトの第２中間部とは、前記嵌合方向へずれて配置されるように構成され、
前記各シグナルコンタクトに前記曲がり部が存在することによって、前記各第１シグナルコンタクトの全長と前記各第２シグナルコンタクトの全長とが等しいことを特徴とする平衡伝送用コネクタ。
【請求項２】
対向配置される前記各第１シグナルコンタクトと前記各第２シグナルコンタクトとがペアに構成され、前記各ペア間にグラウンドコンタクトが配置されることを特徴とする請求項１記載の平衡伝送用コネクタ。
【請求項３】
請求項２記載の平衡伝送用コネクタと接続される基板において、
前記基板は、前記基板の一面に配設され、前記各シグナルコンタクトの端子部と接続する各シグナルパッドと、前記各シグナルパッドと対向配置されるグラウンドべた層とを有し、
前記グラウンドべた層は前記各シグナルパッドが配設される部分と対応する部分を取り除かれていることを特徴とする基板。
【発明の詳細な説明】
【０００１】
【発明の属する技術分野】
本発明は、平衡伝送用コネクタにおけるインピーダンス特性の改良とクロストークの発生の防止に関する。
【０００２】
【従来の技術】
従来の平衡伝送用アングルコネクタについて説明する。
【０００３】
図３（Ａ）は、平衡伝送用アングルコネクタ３１が多層基板４１上に実装された状態の斜視図であり、コネクタ３１の左面は、断面図であり、図３（Ｂ）は、図３（Ａ）における線Ｇ−Ｇによる拡大断面図である。
【０００４】
コネクタ３１のインシュレータ３２には、多数の第１シグナルコンタクト３３と多数の第２シグナルコンタクト３４が、一定のピッチで交互に圧入されて固定されている。各シグナルコンタクト３３，３４は、プレスによって打抜き加工され、略クランク状に形成される。
【０００５】
各シグナルコンタクト３３，３４は、ばね性を有する接触部３３ａ，３４ａと、インシュレータ３２への固定部３３ｂ，３４ｂと、第１中間部３３ｃ，３４ｃと、第１中間部３３ｃ，３４ｃに直交する第２中間部３３ｄ，３４ｄと、第２中間部３３ｄ，３４ｄに直交し、半田付けされる端子部３３ｅ，３４ｅとから連続して一体に構成される。
【０００６】
インシュレータ３２の内部においては、各第１シグナルコンタクト３３は、各第２シグナルコンタクト３４よりも高い位置に配設されている。隣接する第１シグナルコンタクト３３と第２シグナルコンタクト３４は、平衡伝送時の電気的ペアを構成する。
【０００７】
各シグナルコンタクト３３，３４のペアの間には、グラウンドコンタクト３５が配設され、各グラウンドコンタクト３５の平板部３５ａは、インシュレータ３２に圧入されて固定される。各グラウンドコンタクト３５は、各シグナルコンタクト３３，３４のペア間のクロストークを防止する。
【０００８】
なお、インシュレータ３２の嵌合部の上下両側は、シェル３６によって被覆されている。
【０００９】
多層基板４１は、マイクロストリップライン構造を有し、表層４１ａの内部に内層（グラウンドべた層）４１ｂが設けられている。図３（Ａ）において、斜線が引かれた部分がグラウンドである。
【００１０】
各シグナルコンタクト３３，３４の端子部３３ｅ，３４ｅは、多層基板４１の表層４１ａに形成された各シグナルパッド４１ｂにＳＭＴ（表面実装技術）によって半田付けされる。各シグナルパッド４１ｂは、各シグナルパターン４１ｃに接続される。また、各グラウンドコンタクト３５の端子部３５ｂは、表層４１ａに形成された各グラウンドパッド４１ｄに半田付けされる。
【００１１】
この種のコネクタは、本出願前に頒布された刊行物に記載されている（例えば、特許文献１参照。）。
【００１２】
【特許文献１】
特許第３１０８２３９号公報（第３頁第６欄第５行−第５頁第１０欄第４７行、図１−１４）
【００１３】
【発明が解決しようとする課題】
従来の技術では、シグナルコンタクトを主としてプレスによって打抜き加工したため、シグナルコンタクトの各部分において、断面形状の変化が発生するため、各部分のインピーダンスをマッチングすることが、困難である。また、平衡伝送時のインピーダンスを調整しなければならないときには、プレスの打ち抜き形状を変更せざるを得ないから、打ち抜き形状の変更に要するコストが高価である。
【００１４】
更に、従来の平衡伝送用コネクタが多層基板又は多層ＦＰＣに実装されると、シグナルコンタクトのシグナルパッド半田付け部の周囲がグラウンドコンタクトとグラウンドべた層によって囲まれるため、インピーダンスの低下が発生する。
【００１５】
そこで、本発明は、前記従来の平衡伝送用コネクタの欠点を改良し、良好なインピーダンス特性を有し、しかも、クロストークの発生を防止できる平衡伝送用コネクタを提供しようとするものである。
【００１６】
【課題を解決するための手段】
本発明は、前記課題を解決するため、次の手段を採用する。
【００１７】
１．複数のコンタクトと前記各コンタクトを保持するインシュレータとを備えるコネクタにおいて、前記各コンタクトは、嵌合方向に直交する方向に対向配置される第１シグナルコンタクトと第２シグナルコンタクトとから構成され、前記各シグナルコンタクトは、接触部と、前記インシュレータへの固定部と、曲がり部と、第１中間部と、前記第１中間部に直交する第２中間部と、前記第２中間部に直交する端子部とを有し、前記各第１シグナルコンタクトの第１中間部と前記各第２シグナルコンタクトの第１中間部とは、前記嵌合方向に直交する対向方向へずれて配置されるように構成され、前記各第１シグナルコンタクトの第２中間部と前記各第２シグナルコンタクトの第２中間部とは、前記嵌合方向へずれて配置されるように構成され、前記各シグナルコンタクトに前記曲がり部が存在することによって、前記各第１シグナルコンタクトの全長と前記各第２シグナルコンタクトの全長とが等しい平衡伝送用コネクタ。
【００１８】
２．対向配置される前記各第１シグナルコンタクトと前記各第２シグナルコンタクトとがペアに構成され、前記各ペア間にグラウンドコンタクトが配置される前記１記載の平衡伝送用コネクタ。
【００１９】
３．前記２記載の平衡伝送用コネクタと接続される基板において、前記基板は、前記基板の一面に配設され、前記各シグナルコンタクトの端子部と接続する各シグナルパッドと、前記各シグナルパッドと対向配置されるグラウンドべた層とを有し、前記グラウンドべた層は前記各シグナルパッドが配設される部分と対応する部分を取り除かれている基板。
【００２０】
【発明の実施の形態】
本発明の一実施の形態例の平衡伝送用アングルコネクタについて図１と図２を参照して説明する。
【００２１】
図１（Ａ）は、平衡伝送用アングルコネクタ１が多層基板１１上に実装される前の状態の斜視図であり、図２（Ａ）は、図１（Ａ）における線Ａ−Ａによる断面図である。図１（Ｂ）、（Ｃ）は、それぞれ図１（Ａ）における線Ｂ−Ｂ、線Ｃ−Ｃによる拡大断面図である。図２（Ｂ）、（Ｃ）、（Ｄ）は、それぞれ図２（Ａ）における線Ｄ−Ｄ、線Ｅ−Ｅ、線Ｆ−Ｆによる拡大断面図である。
【００２２】
コネクタ１のインシュレータ２には、多数の第１シグナルコンタクト３と多数の第２シグナルコンタクト４が、一定のピッチで交互に圧入されて固定されている。各シグナルコンタクト３，４は、プレスによって曲げ加工され、略クランク状に形成される。
【００２３】
各シグナルコンタクト３，４は、ばね性を有する接触部３ａ，４ａと、インシュレータ２への固定部３ｂ，４ｂと、曲がり部３ｃ，４ｃと、第１中間部３ｄ，４ｄと、第１中間部３ｄ，４ｄに直交する第２中間部３ｅ，４ｅと、第２中間部３ｅ，４ｅに直交し、半田付けされる端子部３ｆ，４ｆとから連続して一体に構成される。各第１シグナルコンタクト３の全長は、各第２シグナルコンタクト４の全長と等しい。インシュレータ２の内部においては、各第１シグナルコンタクト３は、各第２シグナルコンタクト４よりも高い位置に配設されている。隣接する第１シグナルコンタクト３と第２シグナルコンタクト４は、平衡伝送時の電気的ペアを構成する。
【００２４】
各シグナルコンタクト３，４のペアの間には、グラウンドコンタクト５が配設され、各グラウンドコンタクト５の平板部５ａは、インシュレータ２に圧入されて固定される。各グラウンドコンタクト５は、各シグナルコンタクト３，４のペア間のクロストークを防止する。
【００２５】
なお、インシュレータ２の嵌合部の上下両側は、シェル６によって被覆されている。
【００２６】
図１（Ｂ）と図２（Ａ）に示されるように、多層基板１１は、マイクロストリップライン構造を有し、表層１１ａの内部に内層（グラウンドべた層）１１ｂが設けられている。図２（Ａ）において、斜線が引かれた部分がグラウンドである。
【００２７】
図１（Ａ）、図２（Ａ）及び図２（Ｄ）に示されるように、各シグナルコンタクト３，４の端子部３ｆ，４ｆは、多層基板１１の表層１１ａに形成された各シグナルパッド１１ｅにＳＭＴ（表面実装技術）によって半田付けされる。各シグナルパッド１１ｅは、各シグナルパターン１１ｃに接続される。また、各グラウンドコンタクト５の端子部５ｂは、表層１１ａに形成された各グラウンドパッド１１ｄに半田付けされる。
【００２８】
図１（Ｃ）と図２（Ｄ）に示されるように、多層基板１１の内層１１ｂにおいて、各シグナルパッド１１ｅの下に配置されるべきグラウンドを局部的に取り除くことによって、コネクタ１の実装部のインピーダンスの低下を抑止する。
【００２９】
図２（Ｂ）と（Ｃ）に示されるように、各第１シグナルコンタクト３の曲がり部３ｃの寸法と各第２シグナルコンタクト４の曲がり部４ｃの寸法を変更することによって、両シグナルコンタクト３，４間の対向方向（嵌合方向に直交する方向）の寸法ｘと嵌合方向の寸法ｘを変更する。この結果、両シグナルコンタクト３，４間の結合を変更することができ、平衡伝送時のインピーダンスを調整することができる。
【００３０】
【発明の効果】
以上の説明から明らかなように、本発明の平衡伝送用コネクタによれば、次の効果が、奏される。
【００３１】
１．第１及び第２各シグナルコンタクトの曲がり部の寸法を変更することによって、各シグナルコンタクトペアのスキューを変更することなく、各シグナルコンタクトペアの結合を変更することができ、平衡伝送時のインピーダンスを調整することができる。
【００３２】
２．各シグナルコンタクトペア間にグラウンドコンタクトを配置することによって、クロストークの発生を防止することができる。
【００３３】
３．基板の一面に配設される各シグナルパッドは、各シグナルコンタクトの端子部と接続し、各シグナルパッドと対向配置されるグラウンドべた層は、各シグナルパッドが配設される部分と対応する部分を取り除かれているので、各シグナルコンタクトペア間のクロストークを増大させずに、インピーダンスの低下を抑止することができる。
【００３４】
４．各シグナルコンタクトは、プレスによって曲げ加工されるので、従来技術の打抜き加工と対比して、コストが安価である。
【図面の簡単な説明】
【図１】本発明の一実施の形態例の平衡伝送用アングルコネクタと多層基板の諸図であり、（Ａ）は同コネクタが同基板に実装される前の状態の斜視図、（Ｂ）は（Ａ）における線Ｂ−Ｂによる拡大断面図、（Ｃ）は（Ａ）における線Ｃ−Ｃによる拡大断面図を、それぞれ示す。
【図２】同コネクタと同基板の諸図であり、（Ａ）は図１（Ａ）における線Ａ−Ａによる断面図、（Ｂ）は（Ａ）における線Ｄ−Ｄによる拡大断面図、（Ｃ）は（Ａ）における線Ｅ−Ｅによる拡大断面図、（Ｄ）は（Ａ）における線Ｆ−Ｆによる拡大断面図を、それぞれ示す。
【図３】（Ａ）は従来の平衡伝送用アングルコネクタが多層基板に実装された状態の斜視図（ただし、同コネクタの左面は断面図）、（Ｂ）は（Ａ）における線Ｇ−Ｇによる拡大断面図を、それぞれ示す。
【符号の説明】
１    コネクタ（平衡伝送用アングルコネクタ）
２    インシュレータ
３    第１シグナルコンタクト
３ａ    接触部
３ｂ    固定部
３ｃ    曲がり部
３ｄ    第１中間部
３ｅ    第２中間部
３ｆ    端子部
４    第２シグナルコンタクト
４ａ    接触部
４ｂ    固定部
４ｃ    曲がり部
４ｄ    第１中間部
４ｅ    第２中間部
４ｆ    端子部
５    グラウンドコンタクト
５ａ    平板部
５ｂ    端子部
１１    多層基板
１１ａ    表層
１１ｂ    内層（グラウンドべた層）
１１ｃ    シグナルパターン
１１ｄ    グラウンドパッド
１１ｅ    シグナルパッド
【図１】
2004319257.tif 000003
【図２】
2004319257.tif 000004
【図３】
2004319257.tif 000005
【手続補正書】
【提出日】平成16年4月27日(2004.4.27)
【手続補正１】
【補正対象書類名】明細書
【補正対象項目名】請求項１
【補正方法】変更
【補正の内容】
【請求項１】
複数のコンタクトと前記各コンタクトを保持するインシュレータとを備えるコネクタにおいて、
前記各コンタクトは、嵌合方向に直交する方向に対向配置される第１シグナルコンタクトと第２シグナルコンタクトとから構成され、
前記各シグナルコンタクトは、接触部と、前記インシュレータへの固定部と、曲がり部と、第１中間部と、前記第１中間部に直交する第２中間部と、端子部とを有し、
前記各第１シグナルコンタクトの第１中間部と前記各第２シグナルコンタクトの第１中間部とは、前記嵌合方向に直交する対向方向へずれて配置されるように構成され、
前記各第１シグナルコンタクトの第２中間部と前記各第２シグナルコンタクトの第２中間部とは、前記嵌合方向へずれて配置されるように構成され、
前記各シグナルコンタクトに前記曲がり部が存在すること、前記各第１中間部
が前記対向方向へずれて配置されること及び前記各第２中間部が前記嵌合方向へずれて配置されることによって、前記各第１シグナルコンタクトの全長と前記各第２シグナルコンタクトの全長とが等しいことを特徴とする平衡伝送用コネクタ。
【手続補正２】
【補正対象書類名】明細書
【補正対象項目名】００１０
【補正方法】変更
【補正の内容】
【００１０】
各シグナルコンタクト３３，３４の端子部３３ｅ，３４ｅは、多層基板４１の表層４１ａに形成された各シグナルパッド４１ｅにＳＭＴ（表面実装技術）によって半田付けされる。各シグナルパッド４１ｅは、各シグナルパターン４１ｃに接続される。また、各グラウンドコンタクト３５の端子部３５ｂは、表層４１ａに形成された各グラウンドパッド４１ｄに半田付けされる。


【手続補正３】
【補正対象書類名】明細書
【補正対象項目名】００１７
【補正方法】変更
【補正の内容】
【００１７】
１．複数のコンタクトと前記各コンタクトを保持するインシュレータとを備えるコネクタにおいて、前記各コンタクトは、嵌合方向に直交する方向に対向配置される第１シグナルコンタクトと第２シグナルコンタクトとから構成され、前記各シグナルコンタクトは、接触部と、前記インシュレータへの固定部と、曲がり部と、第１中間部と、前記第１中間部に直交する第２中間部と、端子部とを有し、前記各第１シグナルコンタクトの第１中間部と前記各第２シグナルコンタクトの第１中間部とは、前記嵌合方向に直交する対向方向へずれて配置されるように構成され、前記各第１シグナルコンタクトの第２中間部と前記各第２シグナルコンタクトの第２中間部とは、前記嵌合方向へずれて配置されるように構成され、前記各シグナルコンタクトに前記曲がり部が存在すること、前記各第１中間部が前記対向方向へずれて配置されること及び前記各第２中間部が前記嵌合方向へずれて配置されることによって、前記各第１シグナルコンタクトの全長と前記各第２シグナルコンタクトの全長とが等しい平衡伝送用コネクタ。


【手続補正４】
【補正対象書類名】図面
【補正対象項目名】図３
【補正方法】変更
【補正の内容】
【図３】
2004319257.tif 000006